(57)【要約】【課題】多孔性組織の回転面を有する転写部材を用いた転写部を通過する剛性の低い記録材を、裏汚れを目立たせることなく像担持体から分離し易くする。【解決手段】坪量で５２ｇ／ｍ２以下の記録材Ｐが指定されると、記録材Ｐへ画像のトナー像を二次転写する前に、負極性に帯電したクリアートナーを二次転写ローラ１４の円筒面に厚く担持させて、表面の無数の空隙を覆い隠してしまう。クリアートナー像Ｔｃを二次転写ローラ１４に転写した後、中間転写ベルト７に担持された各色画像のトナー像Ｔｇは、記録材Ｐと二次転写ローラ１４との間にクリアートナーが挟まれた状態で、二次転写部Ｔ２にて中間転写ベルト７から記録材Ｐへ一括二次転写される。【選択図】図６
2009128391.tif 000002
【特許請求の範囲】
【請求項１】
トナー像を担持する像担持体と、
多孔性組織の回転面を有して、前記回転面と前記像担持体との間で記録材を挟持搬送してトナー像の転写部を形成する転写部材と、
前記転写部に電圧を印加して、前記トナー像を記録材に転写する電源手段と、を備えた画像形成装置において、
透明トナーまたは白色トナーを前記トナー像と同極性の帯電状態で前記回転面に付着させる粉体付着手段と、
前記粉体付着手段を制御して前記回転面に前記透明トナーまたは前記白色トナーを付着させた後に、記録材を前記転写部に給送して前記像担持体のトナー像を転写させる制御手段と、を備えたことを特徴とする画像形成装置。
【請求項２】
前記透明トナーまたは前記白色トナーのトナー像を形成して前記像担持体に担持させるトナー像形成手段を備え、
前記制御手段は、記録材に転写するトナー像の形成に先立たせて、トナー像形成手段を制御して前記像担持体に前記透明トナーまたは前記白色トナーのトナー像を担持させて、前記電源手段を制御して前記回転面に転写させ、
前記像担持体に担持される前記透明トナーまたは前記白色トナーのトナー像は、記録材の搬送方向に直角な幅方向の長さよりも長く、かつ前記搬送方向に前記回転面の周長よりも長く形成されることを特徴とする請求項１記載の画像形成装置。
【請求項３】
前記像担持体に担持された制御用トナー像を検知する検知手段を備え、
前記制御用トナー像が前記転写部を通過する際には、前記トナー像と同極性の電圧が前記転写部材に印加され、
前記制御手段は、前記像担持体に前記制御用トナー像が担持される際には、前記制御用トナー像の下流側に前記透明トナーまたは前記白色トナーのトナー像を担持させることを特徴とする請求項２記載の画像形成装置。
【請求項４】
前記トナー像形成手段は、前記像担持体に、前記回転面の周長よりも短い担持間隔で画像のトナー像を担持させ、
前記制御手段は、剛性の低い記録材へ画像形成を行う際には、前記担持間隔を拡大して、拡大した前記担持間隔に前記透明トナーまたは前記白色トナーのトナー像を担持させることを特徴とする請求項２又は３記載の画像形成装置。
【請求項５】
前記粉体付着手段は、前記転写部材に配置されて、前記電源手段が前記電圧を印加した前記転写部材に対して、前記トナー像と同極性に帯電させた前記透明トナーまたは前記白色トナーを付着させ、
前記制御手段は、剛性の低い記録材の先頭よりも先に、前記帯電させたトナーが前記転写部へ達するように、前記粉体付着手段を制御することを特徴とする請求項１記載の画像形成装置。
【請求項６】
前記制御手段は、剛性の低い規定の記録材を判別して前記回転面に前記透明トナーまたは前記白色トナーを付着させることを特徴とする請求項１乃至５いずれか１項記載の画像形成装置。
【請求項７】
トナー像を担持する像担持体と、
多孔性組織の回転面を有して、前記回転面と前記像担持体との間で記録材を挟持搬送してトナー像の転写部を形成する転写部材と、
前記転写部に電圧を印加して、前記トナー像を記録材に転写する電源手段と、を備えた画像形成装置において、
複数色のトナー像を形成して前記像担持体に担持させるトナー像形成手段と、
記録材に転写するトナー像の形成に先立たせて、記録材を判別して前記トナー像形成手段を制御して、前記複数色のうちで最も記録材に対するコントラストが低いトナーのトナー像を前記像担持体に担持させ、前記電源手段を制御して前記回転面に転写させた後に、記録材を前記転写部に給送して前記像担持体のトナー像を転写させる制御手段と、を備え、
前記像担持体に担持される前記最も記録材に対するコントラストが低いトナーのトナー像は、記録材の搬送方向に直角な幅方向の長さよりも長く、かつ前記搬送方向に前記回転面の周長よりも長く形成されることを特徴とする画像形成装置。
【発明の詳細な説明】
【技術分野】
【０００１】
本発明は、多孔性組織の回転面を有する転写部材を用いて、像担持体に担持されたトナー像を記録材に転写する画像形成装置、詳しくは剛性の低い記録材の像担持体からの分離性を高める技術に関する。
【背景技術】
【０００２】
多孔性組織の弾性層を設けた転写ローラを用いて像担持体（感光体、中間転写体等）に担持されたトナー像を記録材に転写する画像形成装置が実用化されている。
【０００３】
近年、画像形成装置の用途拡大に伴って、薄い紙等、剛性の低い記録材への対応が求められている。
【０００４】
これらの記録材は、従来の普通紙、厚紙等に比較して、トナー像の転写後、像担持体に静電気的に付着して連れ送りされ易くなるので、像担持体からの分離性を高めるための種々の対策が提案されている。
【０００５】
特許文献１には、感光ドラムと転写帯電器との間隔に記録材を通過させて感光ドラムから記録材へトナー像を転写する画像形成装置が示される。ここでは、転写部の下流側に分離爪を配置して先端を記録材と感光ドラムとの間に挿入しており、感光ドラムに連れ送りされそうになった記録材を感光ドラムから確実に分離させている。
【０００６】
特許文献２には、現像色をそれぞれ異ならせた複数の感光ドラムが中間転写ベルトに沿って配置されたタンデム型中間転写方式の画像形成装置が示される。ここでは、多孔性組織の弾性層を形成した転写ローラを中間転写ベルトに圧接して記録材に対する転写部を形成しており、多孔性組織の弾性層の表面を平滑な表面層で被覆して、回転面の多孔性を解消している。
【０００７】
特許文献３には、多孔性組織の弾性層を設けた転写ローラを用いて、中間転写ベルトに担持されたトナー像を記録材に転写する画像形成装置が示される。ここでは、トナー像の転写ムラを解消するために、転写ローラの多孔性組織の回転面にブラックトナーを複数回転に渡って厚く一様に転写して積み重ねている。
【０００８】
【特許文献１】特開２００６−５８６５６号公報
【特許文献２】特開２００６−３３０７０２号公報
【特許文献３】特開２００６−９８７７７号公報
【発明の開示】
【発明が解決しようとする課題】
【０００９】
多孔性組織の弾性層の表面を平滑な表面層で被覆した転写ローラを用いると、被覆しない転写ローラを用いた場合よりも、剛性の低い記録材が像担持体から分離し易くなることが判明した。
【００１０】
後述するように、多孔性組織の表面を有する転写ローラでは、平滑組織の表面を有する転写ローラよりも、トナー像と逆極性の余剰な電荷を記録材に多く残した状態で、記録材が転写部を通過する。このため、記録材がいわゆる除電不足の状態になって、転写部の下流側の記録材と像担持体との間に静電的な引力が発生して、像担持体から記録材を正常に分離することが難しくなる。
【００１１】
しかし、特許文献２に示される平滑な表面層で被覆した転写ローラは、表面にトナーが逃げる隙間が無いため、付着したトナーが記録材に押し付けられて裏移りし易く、記録材の裏汚れを発生し易い。このため、転写ローラに専用のクリーニング装置を設置する必要がある。
【００１２】
また、表面が平滑な転写ローラは、記録材のニップ力が多孔性組織の表面を有する転写ローラよりも弱いため、搬送方向の画像が伸縮したり、滑りに伴う画像不良が発生したりし易くなる。多孔性組織の弾性層の表面を平滑な表面層で被覆した転写ローラは、被覆しない転写ローラに比較して製造コストが高くなるという問題もある。
【００１３】
また、特許文献３に示されるトナーをコーティングした転写ローラは、画像形成に先立ってトナーをクリーニングしないと、記録材の裏汚れが発生する。長期放置して電荷を喪失したトナーは、もはや転写ローラに対して静電的に引き付けられないので、その多くが最初に接触した記録材へ移動してしまうからである。
【００１４】
本発明は、多孔性組織の回転面を有する転写部材を用いた転写部を通過する剛性の低い記録材を、裏汚れを目立たせることなく像担持体から分離し易くする画像形成装置を提供することを目的としている。
【課題を解決するための手段】
【００１５】
本発明の画像形成装置は、トナー像を担持する像担持体と、多孔性組織の回転面を有して、前記回転面と前記像担持体との間で記録材を挟持搬送してトナー像の転写部を形成する転写部材と、前記転写部に電圧を印加して、前記トナー像を記録材に転写する電源手段とを備えたものである。そして、透明トナーまたは白色トナーを前記トナー像と同極性の帯電状態で前記回転面に付着させる粉体付着手段と、前記粉体付着手段を制御して前記回転面に前記透明トナーまたは前記白色トナーを付着させた後に、記録材を前記転写部に給送して前記像担持体のトナー像を転写させる制御手段とを備える。
【発明の効果】
【００１６】
本発明の画像形成装置では、トナー像と同極性に帯電した透明トナーまたは白色トナーで転写部材の多孔性の回転面を覆うので、転写部を通過する記録材へ付加される余剰電荷が減って、転写部を通過した記録材と像担持体との静電的な引力が減少する。
【００１７】
また、トナーと同極性に帯電した透明トナーまたは白色トナーは、静電的に転写部材に吸着されているので、接触した記録材へ移動して裏汚れを発生しにくい。記録材へ移動しても、記録材に対するコントラスト（明度差、色相差等）が小さい粉体粒子なので、裏汚れが目立ちにくい。
【００１８】
従って、多孔性組織の回転面を有する転写部材に搬送されて転写部を通過する剛性の低い記録材を、目立つ裏汚れを発生することなく像担持体から容易に分離できる。分離爪や転写ローラのコート層を設けることなく、剛性の低い記録材を像担持体から容易に分離できる。
【発明を実施するための最良の形態】
【００１９】
以下、本発明のいくつかの実施形態を、図面を参照して詳細に説明する。本発明は、透明トナーまたは白色トナーを転写部材の表面に静電的に担持させた状態で、剛性が低い記録材へトナー像を転写させる限りにおいて、各実施形態の構成の一部または全部を、その代替的な構成で置き換えた別の実施形態でも実施できる。
【００２０】
従って、中間転写体を用いる画像形成装置に限らず、感光体に形成したトナー像を直接記録材へ転写する画像形成装置でも実施できる。また、中間転写体に沿って１個の感光ドラムを配置した１ドラム型の画像形成装置に限らず、中間転写体に沿って複数の感光ドラムを配置したタンデム型の画像形成装置でも実施できる。
【００２１】
本実施形態では、トナー像の形成／転写に係る主要部のみを説明するが、本発明は、必要な機器、装備、筐体構造を加えて、プリンタ、各種印刷機、複写機、ＦＡＸ、複合機等、種々の用途で実施できる。
【００２２】
なお、特許文献１〜３に示される画像形成装置の一般的な事項については、図示を省略して重複する説明を省略する。説明中、特許請求の範囲で用いた構成名に括弧を付して示した参照記号は、発明の理解を助けるための例示であって、実施形態中の該当する部材等に構成を限定する趣旨のものではない。
【００２３】
＜第１実施形態＞
図１は第１実施形態の画像形成装置の構成の説明図である。
【００２４】
図１に示すように、第１実施形態の画像形成装置１００は、ロータリ現像装置４を備えた１ドラム型中間転写方式の画像形成装置である。
【００２５】
画像形成装置１００は、ベルトクリーニング装置２１及び二次転写ローラ１４を離間させた状態で、感光ドラム１に、イエロー、マゼンタ、シアン、ブラック、透明の各色トナー像を順番に形成する。感光ドラム１に担持されたトナー像は、形成された順番に、一次転写部Ｔ１にて、中間転写ベルト７に一次転写して重ね合わせられる。
【００２６】
その後、二次転写ローラ１４を中間転写ベルト７に当接させて二次転写部Ｔ２が形成され、５色のトナー像は、中間転写ベルト７に重ね合わせて二次転写部Ｔ２を挟持搬送される記録材Ｐへ一括二次転写される。
【００２７】
５色のトナー像を二次転写された記録材Ｐは、定着装置２３へ搬送されて加熱・加圧を受けて、表面にフルカラー画像を定着される。
【００２８】
記録材収納カセット１０からピックアップローラ１１によって引き出された記録材Ｐは、分離ローラ１２によって１枚ずつに分離されてレジストローラ１３へ受け渡される。レジストローラ１３は、停止状態で記録材Ｐを受け入れて待機させ、中間転写ベルト７のトナー像にタイミングを合わせて二次転写部Ｔ２へ記録材Ｐを送り込む。
【００２９】
感光ドラム１の周囲には、トナー像形成手段の一例である帯電装置２、露光装置３、ロータリ現像装置４、一次転写ローラ５、及びクリーニング装置６が配置される。
【００３０】
感光ドラム１は、外径３０ｍｍのアルミニウム製シリンダの外周面に、帯電特性が負極性の有機光導電体（ＯＰＣ）を塗布して構成され、中心支軸を中心に１３０ｍｍ／ｓｅｃのプロセススピードで矢印Ｒ１方向に回転する。
【００３１】
帯電装置２は、コロナ放電器を用いて感光ドラム１の表面を帯電させる。帯電装置２は、回転する感光ドラム１の表面にコロナ放電イオンを照射して、感光ドラム１の表面を一様な負極性の電位に帯電させる。
【００３２】
露光装置３は、各色の分解色画像を展開した走査線画像データをＯＮ−ＯＦＦ変調したレーザービームを回転ミラーで走査して、帯電した感光ドラム１の表面に画像の静電像を書き込む。露光された部分では、感光ドラム１の負極性の帯電電位が放電されて表面電位が接地電位に近付く。
【００３３】
ロータリ現像装置４は、回転してイエロー現像器４Ｙ、マゼンタ現像器４Ｍ、シアン現像器４Ｃ、ブラック現像器４Ｋ、及びクリアー（透明）現像器４Ｅを感光ドラム１の現像位置に位置決める。
【００３４】
各色の現像器４Ｙ、４Ｍ、４Ｃ、４Ｋ、４Ｅは、それぞれ磁性キャリアと各色の非磁性トナーとを所定の割合で混合した二成分現像剤を使用する。各色の非磁性トナーは、各色の現像器４Ｙ、４Ｍ、４Ｃ、４Ｋ、４Ｅの中で二成分現像剤が攪拌される過程で、磁性キャリアと摩擦して、摩擦帯電によって負極性に帯電する。
【００３５】
現像器４Ｙ、４Ｍ、４Ｃ、４Ｋ、４Ｅは、固定のマグネット４ｊの周囲で回転する現像スリーブ４ｓの回転面に現像剤を穂立ち状態で担持させて、感光ドラム１の表面に摺擦させる。
【００３６】
電源Ｄ４は、負極性の直流電圧に交流電圧を重畳した電圧を現像スリーブ４ｓに印加して、露光されて現像スリーブ４ｓよりも相対的に正極性となった感光ドラム１の部分にトナーを付着させて、静電像を反転現像する。
【００３７】
イエロー現像器４Ｙは、感光ドラム１の現像位置に移動すると、負極性に帯電したイエロートナーを感光ドラム１の静電像に付着させて、静電像をイエロートナー像に反転現像する。
【００３８】
マゼンタ現像器４Ｍは、感光ドラム１の現像位置に移動すると、負極性に帯電したマゼンタトナーを感光ドラム１の静電像に付着させて、静電像をマゼンタトナー像に反転現像する。
【００３９】
シアン現像器４Ｃは、感光ドラム１の現像位置に移動すると、負極性に帯電したシアントナーを感光ドラム１の静電像に付着させて、静電像をシアントナー像に反転現像する。
【００４０】
ブラック現像器４Ｋは、感光ドラム１の現像位置に移動すると、負極性に帯電したブラックトナーを感光ドラム１の静電像に付着させて、静電像をブラックトナー像に反転現像する。
【００４１】
クリアー現像器４Ｅは、感光ドラム１の現像位置に移動すると、負極性に帯電したクリアートナーを感光ドラム１の静電像に付着させて、静電像をクリアートナー像に反転現像する。
【００４２】
クリアー現像器４Ｅは、画像の白色部分にクリアートナー像を形成して、他色のトナー像部分との光沢差を減少させる。第１実施形態では、後述するように、クリアー現像器４Ｅを二次転写ローラ１４へコーティングするためのクリアートナー像も形成する。
【００４３】
クリーニング装置７は、一次転写部Ｔ１を通過して感光ドラム１の表面に残留した転写残トナーを除去する。
【００４４】
中間転写ベルト７は、駆動ローラ１６、対向ローラ１５、テンションローラ２０、一次転写ローラ５、及び張架ローラ１７、１８、１９に支持されて矢印Ｒ２方向に回転する。
【００４５】
中間転写ベルト７は、ポリイミド、ポリカーボネート、ポリエステル、ポリプロピレン、ポリエチレンテレフタレート、アクリル、塩化ビニル等の樹脂または各種ゴム等に帯電防止剤としてカーボンブラックを適当量含有させている。中間転写ベルト７の体積抵抗率は、１×１０８〜１×１０１３［Ω・ｃｍ］、厚みは、０．０７〜０．１ｍｍに調整してある。
【００４６】
駆動ローラ１６は、感光ドラム１を共通に回転駆動する本体駆動機構に接続されて中間転写ベルト７を駆動して回転させる。テンションローラ２０は、外側へ向かってばね付勢されて中間転写ベルト７の張力を一定に制御する。
【００４７】
一次転写ローラ５は、中間転写ベルト７を介して感光ドラム１に圧接して、感光ドラム１と中間転写ベルト７との間に一次転写部Ｔ１を形成する。
【００４８】
電源Ｄ１は、感光ドラム１に形成されたトナー像の帯電極性とは逆極性である正極性の直流電圧を一次転写ローラ５に印加する。これにより、感光ドラム１に担持された各色のトナー像が中間転写ベルト７へ一次転写される。
【００４９】
二次転写ローラ１４は、中間転写ベルト７を介して対向ローラ１５に圧接して、中間転写ベルト７と二次転写ローラ１４との間に二次転写部Ｔ２を形成する。
【００５０】
二次転写ローラ１４は、直径１２ｍｍのステンレス製の心金１４ａの周囲に厚さ６ｍｍの弾性層１４ｂを形成してある。
【００５１】
弾性層１４ｂは、イオン導電系のゴム（ＮＢＲゴム）を発泡処理したものを表面研磨加工して形成され、イオン性導電物質を所定割合混入して、抵抗値を１×１０６〜１×１０８Ωに調整してある。抵抗値は、２３度Ｃ、５０％ＲＨ環境にて２ｋＶを印加して測定した。
【００５２】
電源Ｄ２は、中間転写ベルト７に担持されたトナー像の帯電極性とは逆極性である正極性の直流電圧を二次転写ローラ１４に印加して、中間転写ベルト７に担持されたトナー像を記録材Ｐへ二次転写させる。二次転写ローラ１４には、電源Ｄ２から所定に制御された定電圧＋２０〜＋６０００Ｖが印加されて、二次転写電流が＋１０〜＋５０μＡ流れる。
【００５３】
ベルトクリーニング装置２１は、二次転写部Ｔ２を通過して中間転写ベルト７に残留した転写残トナーを除去する。
【００５４】
二次転写ローラ１４は、モータＭ２を作動させることによって、中間転写ベルト７に対して接離可能である。ベルトクリーニング装置２１は、モータＭ３を作動させることによって、中間転写ベルト７に対して接離可能である。
【００５５】
二次転写ローラ１４及びベルトクリーニング装置２１は、カラー画像の形成時、最終色の１つ前のトナー像が中間転写ベルト７に一次転写し終わるまで、中間転写ベルト７から離間して、中間転写ベルト７に担持されたトナー像への接触を回避している。
【００５６】
＜剛性の低い記録材の分離性＞
図２は多孔性の弾性層を有する二次転写ローラを用いた二次転写の説明図、図３は二次転写ローラの回転面の空隙の拡大図、図４は多孔性の円筒面における放電の説明図である。図２中、（ａ）は二次転写部、（ｂ）は二次転写部を通過する記録材の拡大図である。図４中、（ａ）は放電の説明図、（ｂ）は放電後の記録材の帯電状態の説明図である。
【００５７】
近年、チラシや旅行のパンフレットに代表される薄い紙に画像を形成するニーズが高まってきている。薄い紙は、像担持体から紙上にトナー像を転写する二次転写部での記録材の分離性が普通紙よりも劣っている。
【００５８】
図２の（ａ）に示すように、負極性に帯電したトナー像Ｔが中間転写ベルト７に担持されて二次転写部Ｔ２へ送り込まれ、記録材Ｐに重ね合わせて、二次転写部Ｔ２を挟持搬送される。二次転写部Ｔ２は、二次転写ローラ１４の弾性層１４ｂを中間転写ベルト７に圧接して構成され、弾性層１４ｂから記録材Ｐに供給されるプラス電荷Ｑが、マイナス電荷をもつトナー像Ｔを記録材Ｐに二次転写する。
【００５９】
電源Ｄ２は、二次転写ローラ１４に正極性の定電圧を出力して、負極性に帯電して中間転写ベルト７に担持されたトナー像を記録材Ｐへ引き付ける。これにより、記録材は、トナー像Ｔを介して静電気的に中間転写ベルト７に貼り付く。
【００６０】
しかし、二次転写部Ｔ２の下流側では、対向ローラ１５に倣って中間転写ベルト７が曲面を形成して上方へ退去している。このため、中間転写ベルト７の曲面に貼り付いて反らされた記録材Ｐの弾性力がトナー像Ｔと中間転写ベルト７との静電気力に打ち勝って、中間転写ベルト７の曲面から曲率分離して記録材Ｐを直進方向へ引き剥がす。このようにして、中間転写ベルト７に担持されたトナー像は、記録材Ｐへ乗せ換えられる。
【００６１】
従って、中間転写ベルト７に貼り付いた記録材Ｐの弾性力がトナー像Ｔと中間転写ベルト７との静電気力に負けていると、中間転写ベルト７の曲面から記録材Ｐを引き剥がせない。記録材Ｐの弾性力は、厚さの３乗に比例するため、記録材Ｐの厚さが薄くなるほど弾性力が不足して、二次転写部Ｔ２での分離性が悪化する。
【００６２】
また、弾性層１４ｂに導電性のゴムを発泡処理させた材料を採用している理由は、プラス電荷Ｑを供給できる十分な搬送方向長さのニップを二次転写部Ｔ２に形成できる柔らかさが弾性層１４ｂに要求されるためである。
【００６３】
図２の（ｂ）に示すように、二次転写ローラ１４から記録材Ｐに供給されて残るべき理想的なプラス電荷Ｑは、トナー像Ｔの持つマイナス電荷と同じ量のプラス電荷である。このとき、記録材Ｐは、トナー像のマイナス電荷と記録材Ｐに残ったプラス電荷Ｑとが打ち消しあっている。
【００６４】
図２の（ａ）に示すように、しかし、実際には、表面が多孔性の弾性層１４ｂを用いた二次転写部Ｔ２を通過する過程で、記録材Ｐには、余剰なプラス電荷Ｑが付与されてしまう。
【００６５】
図３に示すように、顕微鏡で拡大観察すると、二次転写ローラ１４の円筒面は、発泡組織の空隙が多数存在して多孔性であって、発泡組織の空隙の径得ｌは、１００〜２００μｍ程度の大きさである。二次転写ローラ１４の回転面には、導電性のゴムが発泡処理された際に生じた微小な無数の空隙があり、この微小な無数の空隙で起こる無数の放電現象のため、過剰なプラス電荷が記録材Ｐに供給されてしまう。
【００６６】
図４の（ａ）に示すように、二次転写ローラ１４の回転面に空隙が存在すると、空隙内で放電が発生して過剰なプラス電荷が記録材Ｐに埋め込まれる。放電によって供給された過剰なプラス電荷は、記録材Ｐと二次転写ローラ１４との空隙を満たす空気によって、二次転写ローラ１４側に戻ることが阻まれてしまう。
【００６７】
図４の（ｂ）に示すように、このため、放電によって供給されたプラス電荷Ｑは、トナー像Ｔを記録材Ｐに引き付けるために必要な量を越えた過剰な水準で、記録材Ｐに残ってしまう。この結果、チラシに代表される薄い紙では、二次転写部Ｔ２での分離性が悪化する。
【００６８】
図２の（ａ）に示すように、チラシに代表される薄い紙は、中間転写ベルト７に貼り付こうとする静電気力に逆らって分離しようとするモーメントが弱いため、二次転写部Ｔ２の下流で中間転写ベルト７に貼り付いて正常に排紙されない。
【００６９】
薄い紙は、二次転写部Ｔ２下流の分離ポイントからしばらくは紙の弾性力によるモーメントによって分離する。しかし、紙が二次転写部Ｔ２から突き出す長さが長くなるに連れて、紙の弾性力によるモーメントは変化しない一方で、紙に残った過剰な静電気が中間転写ベルト７と引き合うモーメントが次第に大きくなってくる。このため、剛性が低くて軽い紙は、再び中間転写ベルト７に吸い寄せられて貼り付き、連れ送りされてしまう。
【００７０】
このような二次転写ローラ１４の表面の空隙層で発生する放電現象は、発泡スポンジ層の表面に平滑な被覆層を設けることで抑えることができる。これによって、過剰なプラス電荷が記録材Ｐへ供給されるのを抑えて、薄い紙が中間転写ベルト７へ貼り付いてしまうことを防ぐことができる。
【００７１】
そこで、第１実施形態では、予め定めた種類の薄い紙の場合には、二次転写ローラ１４にクリアートナーを転写して、二次転写ローラ１４の円筒面の空隙をクリアートナーで覆った状態で画像のトナー像の二次転写を行わせる。
【００７２】
制御部１１０は、二次転写ローラ１４の多孔性の円筒面を、帯電したクリアートナーで覆って、空隙を介した二次転写ローラ１４と記録材との間の放電を抑制する。制御部１１０は、放電に伴って記録材に余剰に注入されて転写部材に除電されることなく転写部を通過する電荷を減らして、転写部を通過した記録材Ｐに過剰なプラス電荷が残らないようにする。
【００７３】
＜制御手段＞
図５は画像形成の制御のフローチャート、図６は薄い紙モードの説明図、図７は通常の薄い紙モードのタイムチャートである。図６中、（ａ）は二次転写ローラに対するクリアートナーの転写工程、（ｂ）は記録材に対する画像のトナー像の転写工程である。
【００７４】
図１に示すように、画像形成装置１００では、操作パネル１０８を操作して、ユーザーが使用する記録材Ｐの種類を選ぶことが出来る。
【００７５】
また、制御部１１０に画像形成ジョブを送信するコンピュータの画面上でも、ユーザーが使用する記録材Ｐの種類を選ぶことが出来る。
【００７６】
制御部１１０は、ユーザーが選んだ記録材Ｐの種類に応じて記録材Ｐの厚さを判別し、薄い紙の場合には、二次転写ローラ１４にクリアートナー像を転写した後に画像形成を開始する薄い紙モードの制御を実行する。
【００７７】
トナー像形成手段（１）は、複数色のトナー像を形成して像担持体（７）に担持させる。検知手段（２２）は、像担持体（７）に担持された制御用トナー像を検知する。粉体付着手段（４Ｅ）は、記録材に対するコントラストが低い粉体粒子を、画像のトナー像と同極性の帯電状態で転写部材（１６）の多孔性組織の回転面に付着させる。
【００７８】
制御手段（１１０）は、粉体付着手段（４Ｅ）を制御して転写部材（１６）の回転面に粉体粒子を付着させた後に、剛性の低い記録材を転写部（Ｔ２）に給送して像担持体（７）のトナー像を転写させる。
【００７９】
制御手段（１１０）は、剛性の低い記録材に転写するトナー像の形成に先立たせて、像担持体（７）に、１色のトナー像を、トナー像形成手段（３）を制御して剛性の低い記録材の搬送方向に直角な幅方向の長さよりも長く、かつ搬送方向に転写部材（１６）の回転面の周長よりも長く形成させる。
【００８０】
制御手段（１１０）は、電源手段（Ｄ２）を制御して、１色のトナー像を、転写部材（１６）の回転面に転写させる。制御手段（１１０）は、剛性の低い規定の記録材を判別して転写部材（１６）の回転面に帯電したトナーを付着させる。
【００８１】
図１を参照して図５に示すように、制御部１１０は、画像形成ジョブを受信すると、起動して前回転を行い、各種画像形成条件を調整する（Ｓ１１）。
【００８２】
制御部１１０は、指定された記録材Ｐの種類を読み取って（Ｓ１２）、記録材Ｐが規定の薄い紙に相当するか否かを判断する（Ｓ１３）。制御部１１０は、規定の薄い紙に該当しない場合（Ｓ１３のＮＯ）、通常の画像形成モード（Ｓ１６、Ｓ１７）を、残りジョブが無くなるまで（Ｓ２１のＮＯ）繰り返す。
【００８３】
制御部１１０は、坪量が５２ｇ／ｍ２以下の薄い紙の場合（Ｓ１３のＹＥＳ）、感光ドラム１にクリアートナー像を形成して、中間転写ベルト７に一次転写する（Ｓ１４）。
【００８４】
クリアートナー像は、感光ドラム１の軸方向の長さＷが、記録材Ｐの幅よりも大きく、感光ドラム１の回転方向の長さＬが、二次転写ローラ１４の回転面の周長よりも大きい。長さＬは、二次転写ローラ１４の回転面の周長の３倍の長さを持たせており、二次転写ローラ１４の３回転に渡って転写して積層させることにより、二次転写ローラ１４の表面の空隙を埋める効果を高めている。
【００８５】
制御部１１０は、二次転写ローラ１４を中間転写ベルト７に当接させて二次転写部Ｔ２を形成する。図６の（ａ）を参照して示すように、負極性に帯電して中間転写ベルト７に担持されたクリアートナー像Ｔｃは、電源Ｄ２から二次転写ローラ１４に正極性の転写電圧を印加することにより、二次転写ローラ１４に転写される（Ｓ１５）。クリアートナー像Ｔｃの転写後、図７に示すように、二次転写ローラ１４は、中間転写ベルト７から離間して、薄い紙の記録材Ｐに対する画像のトナー像の二次転写を待機する。
【００８６】
制御部１１０は、イエロー、マゼンタ、シアン、ブラックの画像のトナー像を感光ドラム１に形成して、形成した順番に中間転写ベルト７へ一次転写して重ね合わせる（Ｓ１６）。
【００８７】
制御部１１０は、その後、二次転写ローラ１４を中間転写ベルト７に当接させて二次転写部Ｔ２を形成する。図６の（ｂ）を参照して示すように、中間転写ベルト７に担持された各色画像のトナー像Ｔｇは、電源Ｄ２から二次転写ローラ１４に正極性の転写電圧が印加されることにより、二次転写部Ｔ２を通過する記録材Ｐへ二次転写される（Ｓ１７）。
【００８８】
制御部１１０は、坪量で５２ｇ／ｍ２以下の記録材Ｐが指定されると、記録材Ｐへ画像のトナー像を二次転写する前に、負極性に帯電したクリアートナーを二次転写ローラ１４の円筒面に厚く担持させて、表面の無数の空隙を覆い隠してしまう。
【００８９】
図６の（ｂ）に示すように、記録材Ｐと二次転写ローラ１４との間にクリアートナーが挟まれた状態で、二次転写部Ｔ２にて中間転写ベルト７から記録材Ｐへ４色の画像のトナー像が一括二次転写される。
【００９０】
記録材Ｐが二次転写部Ｔ２を通過するとき、二次転写ローラ１４の円筒面の無数の空隙は、クリアートナーで覆われているので、空隙内の空間で放電が発生しにくくなっている。これにより、二次転写部Ｔ２を通過する記録材Ｐ上に未定着の多色トナー像が形成される過程で、負極性に帯電したトナー像Ｔを記録材Ｐへ移動させるために必要なプラス電荷Ｑ以上の余剰なプラス電荷を減らす。
【００９１】
また、負極性に帯電したクリアートナーは、正極性の電圧を印加された二次転写ローラ１４に静電気的に担持されているので、記録材Ｐに接触しても記録材Ｐへ移動しにくくなっている。
【００９２】
接触した記録材Ｐに機械的に拘束される等して、一部のクリアートナーは、二次転写ローラ１４から記録材Ｐへ持ち去られるが、無色透明なので裏汚れが目立たない。
【００９３】
制御部１１０は、画像のトナー像Ｔｇの転写後、図７に示すように、中間転写ベルト７から二次転写ローラ１４を離間して、次の画像のトナー像の二次転写を待機する。
【００９４】
図１を参照して図５に示すように、制御部１１０は、薄い紙（Ｓ１８）を規定枚数（１００枚）二次転写すると（Ｓ１９のＹＥＳ）、感光ドラム１にクリアートナー像を形成して（Ｓ１４）、二次転写ローラ１４にクリアートナー像を転写し直す（Ｓ１５）。
【００９５】
制御部１１０は、画像濃度調整のために制御用トナー像が形成されると（Ｓ２０のＹＥＳ）、感光ドラム１にクリアートナー像を形成して（Ｓ１４）、二次転写ローラ１４にクリアートナー像を転写し直す（Ｓ１５）。
【００９６】
画像形成の残りジョブが無くなるまで（Ｓ２１のＮＯ）、同様な制御が継続され（Ｓ１４〜Ｓ２０）、残りジョブが無くなると（Ｓ２１のＹＥＳ）、制御部１１０は、画像形成装置１００を所定の手順で停止させる。
【００９７】
図１を参照して図７に示すように、制御部１１０は、露光装置３を制御してクリアートナー像を形成し、電源Ｄ１を制御してクリアートナー像を中間転写ベルト７に一次転写させる。その後、中間転写ベルト７に当接した二次転写ローラ１４へ正極性の二次転写電圧を印加して、負極性に帯電したクリアートナー像を、中間転写ベルト７から二次転写ローラ１４へ転写する。
【００９８】
クリアートナー像を形成した後、制御部１１０は、露光装置３を制御してイエロー、マゼンタ、シアン、ブラックの各色画像のトナー像を形成して中間転写ベルト７に一次転写させる。その後、中間転写ベルト７に当接した二次転写ローラ１４へ正極性の二次転写電圧を印加して、４色の画像のトナー像を記録材Ｐへ一括二次転写させる。
【００９９】
このように、クリアートナー像を、二次転写ローラ１４の表面に転写させておくことで、二次転写ローラ１４の表面の空隙を埋めることができる。このため、薄い紙を二次転写部Ｔ２に挟んで、多色トナー像を中間転写ベルト７から二次転写させる際に、二次転写部Ｔ２のニップ中での薄い紙と二次転写ローラ１４の表面との間で生じる放電を抑制できる。これによって、薄い紙に過剰な電荷が供給されるのを防いで、二次転写部Ｔ２を通過した後の薄い紙の分離を容易にする。一方で、二次転写工程において、薄い紙の裏面に、トナーが付着することがあるけれども、付着するトナーは透明なトナーであるため、印刷成果物の品位を落としてしまうことがない。
【０１００】
＜画像濃度調整＞
図８は濃度調整のタイムチャートである。
【０１０１】
図１に示すように、光学センサ２２は、張架ローラ１９で支持された中間転写ベルト７上の制御用トナー像（カラーパッチ）に赤外光を照射して反射光量を検知する。中間転写ベルト７の幅方向に位置をずらせて形成される制御用トナー像に合わせて、光学センサ２２は、中間転写ベルト７の幅方向に３個が配置されている。
【０１０２】
制御部１１０は、所定枚数（５００枚）の画像形成ごとに、露光装置３を制御して、所定の濃度階調を持たせた各色の制御用トナー像の静電像を、図８に示すように、感光ドラム１の各色の画像のトナー像の下流側に書き込む。
【０１０３】
制御用トナー像は、イエロー、マゼンタ、シアンのトナーで現像されて、各色の制御用トナー像となり、中間転写ベルト７上に幅方向に位置をずらせて一次転写される。中間転写ベルト７には、４色の画像のトナー像を重ねたフルカラートナー像の下流側に３色個別の制御用トナー像が担持される。
【０１０４】
制御部１１０は、３色の制御用トナー像が光学センサ２２を通過するタイミングで光学センサ２２の出力を取り込み、それぞれの制御用トナー像の濃度を測定する。そして、測定結果に基づいて現像器４Ｙ、４Ｍ、４Ｃの現像スリーブ４ｓに印加される直流電圧を調整する。これにより、フルカラー画像における各色の濃度階調と定着画像の視感濃度との関係を一律に調整してフルカラー画像の色味を安定させている。
【０１０５】
光学センサ２２を通過した制御用トナー像は、画像のトナー像に続いて二次転写部Ｔ２へ搬送される。
【０１０６】
制御手段（１１０）は、制御用トナー像が転写部（Ｔ２）を通過する際には、画像のトナー像と同極性の電圧を転写部材（１６）に印加させ、制御用トナー像の下流側に１色のトナー像を担持させる。
【０１０７】
図１を参照して図８に示すように、制御部１１０は、制御用トナー像が二次転写部Ｔ２を通過し始めると、電源Ｄ２を制御して、二次転写ローラ１４へ印加する定電圧を反転させる。
【０１０８】
電源Ｄ２は、所定に制御された定電圧−１０〜−１０００Ｖを二次転写ローラ１４に印加して、記録材Ｐには、０〜−１０μＡの転写電流が流れる。これにより、制御用トナー像は、二次転写ローラ１４に転写されることなく二次転写部Ｔ２を通過して、ベルトクリーニング装置２１によって除去される。有彩色の制御用トナー像が二次転写ローラ１４に転写されると、二次転写部Ｔ２を通過する記録材Ｐの裏面に付着して目立つ裏汚れを形成する可能性があるからである。
【０１０９】
制御部１１０は、各色トナー像の濃度調整時期であれば、画像のトナー像と各色の制御用トナー像とを感光ドラム１に形成する。濃度調整の時期は、ジョブ開始時及び５００枚の画像形成ごとである。
【０１１０】
制御部１１０は、その後、二次転写ローラ１４を中間転写ベルト７に当接させて二次転写部Ｔ２を形成する。負極性に帯電して中間転写ベルト７に担持された各色の制御用トナー像は、光学センサ２２で濃度を検知された後に、二次転写部Ｔ２へ搬送される。
【０１１１】
制御部１１０は、電源Ｄ２から二次転写ローラ１４へ正極性の転写電圧を印加させて、二次転写部Ｔ２へ送り込まれた記録材Ｐへ画像のトナー像を二次転写する。
【０１１２】
制御部１１０は、画像のトナー像が転写された記録材Ｐが通過した後に二次転写部Ｔ２へ進入する各色の制御用トナー像に対しては、二次転写ローラ１４に負極性の転写電圧を出力して、二次転写ローラ１４への転写を回避する。
【０１１３】
このとき、二次転写ローラ１４に印加された負極性の電圧によって、二次転写ローラ１４の円筒面に担持させていたクリアートナーまでが、中間転写ベルト７へ戻されてしまう。クリアートナーを失った二次転写ローラ１４の円筒面は、薄い紙に過剰なプラス電荷を付与して、薄い紙に対する中間転写ベルト７からの分離性を低下させる。
【０１１４】
図５に示すように、このため、制御用トナー像が形成される場合（Ｓ２０）は、失われたクリアートナーを補充すべく、再びクリアートナー像を形成して（Ｓ１４）、二次転写ローラ１４に転写する（Ｓ１５）。
【０１１５】
図８に示すように、二次転写ローラ１４に負極性の転写電圧を出力して円筒面に担持させていたクリアートナーをクリーニングした後に、クリアートナー像を二次転写ローラ１４に転写する。
【０１１６】
クリアートナー像の転写後、制御部１１０は、中間転写ベルト７から二次転写ローラ１４を離間させて、次の画像のトナー像の二次転写を待機する。
【０１１７】
＜第２実施形態＞
図９は第２実施形態の画像形成装置の構成の説明図である。第２実施形態の画像形成装置２００は、二次転写ローラ１４に直接クリアートナー像を形成する構成以外は、第１実施形態と同様に構成される。従って、図９中、図１と共通する構成には第１実施形態と共通の符号を付して重複する説明を省略する。
【０１１８】
図９に示すように、粉体付着手段（４Ｅ）は、転写部材（１４）に配置されて、電源手段（Ｄ２）が電圧を印加した転写部材（１４）に対して、トナー像と同極性に帯電させたトナーを付着させる。制御手段（１１０）は、剛性の低い記録材の先頭よりも先に、帯電させたトナーが転写部（Ｔ２）へ達するように、粉体付着手段（４Ｅ）を制御する。
【０１１９】
画像形成装置２００は、ベルトクリーニング装置２１及び二次転写ローラ１４を離間させた状態で、感光ドラム１に、イエロー、マゼンタ、シアン、ブラックの各色トナー像を順番に形成する。感光ドラム１に担持された各色画像のトナー像は、形成された順番に、一次転写部Ｔ１にて、中間転写ベルト７に一次転写して重ね合わせられる。
【０１２０】
その後、二次転写ローラ１４を中間転写ベルト７に当接させて二次転写部Ｔ２が形成され、４色の画像のトナー像は、中間転写ベルト７に重ね合わせて二次転写部Ｔ２を挟持搬送される記録材Ｐへ一括二次転写される。
【０１２１】
４色の画像のトナー像を二次転写された記録材Ｐは、定着装置２３へ搬送されて加熱・加圧を受けて、表面にフルカラー画像を定着される。
【０１２２】
二次転写ローラ１４に隣接させてクリアー現像器４Ｅが配置される。クリアー現像器４Ｅは、磁性キャリアと非磁性のクリアートナーとを所定の割合で混合した二成分現像剤を攪拌して帯電させる。クリアートナーは、二成分現像剤が攪拌される過程で、磁性キャリアと摩擦して、摩擦帯電によって負極性に帯電する。クリアー現像器４Ｅは、固定のマグネット４ｊの周囲で回転する現像スリーブ４ｓの回転面に現像剤を穂立ち状態で担持させて、二次転写ローラ１４の表面に摺擦させる。
【０１２３】
制御部１１０は、電源Ｄ２を制御して正極性の直流電圧を二次転写ローラ１４に印加することにより、負極性に帯電して現像スリーブ４ｓに担持されたクリアートナーを二次転写ローラ１４の円筒面に転写させる。
【０１２４】
制御部１１０は、現像スリーブ４ｓの回転を停止させることにより、正極性の直流電圧を二次転写ローラ１４に印加した状態でも、クリアートナーの二次転写ローラ１４への転写を阻止できる。
【０１２５】
制御部１１０は、坪量で５２ｇ／ｍ２以下の記録材Ｐが指定されると、記録材Ｐへ画像のトナー像を二次転写する前に、負極性に帯電したクリアートナーを二次転写ローラ１４の円筒面に厚く担持させる。これにより、図６の（ｂ）に示すように、記録材Ｐと二次転写ローラ１４との間にクリアートナーが挟まれた状態で、二次転写部Ｔ２にて中間転写ベルト７から記録材Ｐへ４色の画像のトナー像が一括二次転写される。
【０１２６】
＜第３実施形態＞
図１０は第３実施形態の画像形成装置の構成の説明図、図１１は転写電圧の制御のタイムチャート、図１２は中間転写ベルト上のクリアートナー像の説明図である。
【０１２７】
第３実施形態は、中間転写ベルトに沿って現像色の異なる複数の感光ドラムを配置したタンデム型画像形成装置であるが、第１実施形態と機能上共通する構成には、第１実施形態と共通の符号を付して重複する説明を省略する。
【０１２８】
図１０に示すように、第３実施形態の画像形成装置３００は、中間転写ベルト７に沿ってイエロー、マゼンタ、シアン、ブラック、クリアーの画像形成部ＰＹ、ＰＭ、ＰＣ、ＰＫ、ＰＥを配置したタンデム型中間転写方式のフルカラープリンタである。
【０１２９】
画像形成部ＰＹでは、感光ドラム１Ｙにイエロートナー像が形成されて中間転写ベルト７に一次転写される。画像形成部ＰＭでは、感光ドラム１Ｍにマゼンタトナー像が形成されて、イエロートナー像に重ね合わせて中間転写ベルト７に一次転写される。画像形成部ＰＣ、ＰＫでは、感光ドラム１Ｃ、１Ｋにシアントナー像、ブラックトナー像が形成されて、イエロー、マゼンタトナー像に重ね合わせて中間転写ベルト７に一次転写される。
【０１３０】
中間転写ベルト７に担持された４色のトナー像は、二次転写部Ｔ２へ搬送されて記録材Ｐへ一括二次転写される。４色のトナー像を二次転写された記録材Ｐは、定着装置２３へ受け渡されて加熱加圧を受けることにより、表面にフルカラー画像を定着される。
【０１３１】
トナー像形成手段（１）は、像担持体（７）に、転写部材（１６）の回転面の周長よりも短い担持間隔で画像のトナー像を担持させる。制御手段（１１０）は、剛性の低い記録材へ画像形成を行う際には、担持間隔を拡大して、拡大した担持間隔に１色のトナー像を担持させる。
【０１３２】
制御部１１０は、坪量で５２ｇ／ｍ２以下の記録材Ｐが指定されると、記録材Ｐへ画像のトナー像を二次転写する前に、感光ドラム１Ｅにクリアートナーを形成して中間転写ベルト７に一次転写させる。制御部１１０は、中間転写ベルト７に担持されたクリアートナー像が二次転写部Ｔ２を通過する間、電源Ｄ２から正極性の電圧を印加させて、二次転写ローラ１４にクリアートナー像を転写する。これにより、図６の（ｂ）に示すように、記録材Ｐと二次転写ローラ１４との間にクリアートナーが挟まれた状態で、二次転写部Ｔ２にて中間転写ベルト７から記録材Ｐへ４色の画像のトナー像が一括二次転写される。
【０１３３】
図１１の（ａ）に示すように、一次転写電圧、二次転写電圧を制御して何枚か通常の画像形成を行っていた場合、図１２の（ａ）に示すように、４色を重ねたトナー像が所定の担持間隔で中間転写ベルト７に担持されている。
【０１３４】
薄い紙の画像形成が開始されると、図１１の（ａ）に示すように、一次転写（Ｅ）を行った後に、薄い紙に転写する画像のトナー像が形成される。これにより、図１２の（ａ）に示すように、中間転写ベルト４には、通常の担持間隔よりも拡大した画像のトナー像の担持間隔が形成され、拡大された担持間隔にクリアートナー像が担持される。
【０１３５】
すなわち、長さが二次転写ローラ１４一周分の周長Ｌｒ以上の長さＬで、幅が二次転写させる薄い紙の幅Ｗｐ以上の幅Ｗとなるクリアートナー像を現像器４Ｅにて、感光ドラム１上に形成する。
【０１３６】
そして、このクリアートナー像を、中間転写ベルト７に一次転写して二次転写部Ｔ２へ搬送して、二次転写ローラ１４に転写する。
【０１３７】
クリアートナー像は、二次転写ローラ１４の表面の空隙を埋めることが目的のため、通常の画像形成に用いる単色最大濃度トナー像の３〜４層以上の高さに相当するクリアートナー像を転写させる。
【０１３８】
このため、二次転写ローラ１４の周長の数倍の長さＬのクリアートナー像を中間転写ベルト７上に一次転写しておき、二次転写部Ｔ２では、この長さＬを転写できるような転写電圧を印加している。これにより、仮に使用するトナー量が通常の画像形成時と同じであっても、クリアートナー像が二次転写ローラ１４に何回も塗り重ねられて、二次転写ローラ１４に転写されるクリアートナーの層は、厚くすることができる。
【０１３９】
加えて、第３実施形態では、通常の画像形成時におけるトナー載り量０．５ｍｇ／ｃｍ２〜０．６ｍｇ／ｃｍ２よりも多い０．７ｍｇ／ｃｍ２〜０．９ｍｇ／ｃｍ２のクリアートナー像を感光ドラム１Ｅに形成している。また、クリアートナー像の長さＬも、二次転写ローラ１４の周長７５ｍｍの倍の長さ１５０ｍｍを形成している。
【０１４０】
これにより、通常の画像形成に比べて単位面積あたりトナー量が、約３倍程度多い量が、二次転写ローラ１４の表面に転写される。
【０１４１】
前述のように、フルカラートナー像の濃度安定のため、規定の印刷枚数ごとに、有彩色の制御用トナー像（カラーパッチ）を中間転写ベルト７に担持させる。このとき、有彩色の制御用トナー像が二次転写ローラ１４に付着しないように、二次転写ローラ１４に通常の二次転写時とは逆極性の電圧を印加している。
【０１４２】
図１１の（ｂ）に示すように、制御用トナー像が形成される場合は、制御用トナー像が二次転写部Ｔ２を通過する間、二次転写ローラ１４に通常の二次転写とは逆極性の電圧を印加して、制御用トナー像が二次転写ローラ１４に転写されることを阻止する。
【０１４３】
しかし、二次転写ローラ１４に逆極性の電圧を印加すると、二次転写ローラ１４に担持させておいたクリアートナーが中間転写ベルト７に再転写されて失われてしまう。
【０１４４】
このため、制御用トナー像の通過後に、クリアートナー像が二次転写ローラ１４に十分に転写されるように、中間転写ベルト７にクリアートナー像を準備して、二次転写ローラ１４に通常の二次転写と同極性の電圧を印加している。
【０１４５】
これにより、図１２に示すように、中間転写ベルト７上には、制御用トナー像に続いて、クリアートナー像が担持され、クリアートナー像に続いてフルカラー画像のトナー像が担持される。
【０１４６】
＜第４実施形態＞
第１実施形態〜第３実施形態では、いずれも二次転写ローラ１４の表面の空隙を埋めるために、クリアートナーを使用した。クリアートナーは、記録材Ｐの地色が何色であっても視感上のコントラストが小さくて裏汚れが目立たないからである。
【０１４７】
しかし、空隙を埋めるために使用するトナーは、薄い紙の裏面に付着したときに、印刷成果物の品位を落とさないトナーであればよい。従って、薄い紙の地色が白色である場合は、空隙を埋めるためのトナーとして白色のトナーを使用する。
【０１４８】
第４実施形態では、二次転写ローラ１４の表面に塗布する透明トナーのトナー量は、１．４ｍｇ／ｃｍ２〜１．８ｍｇ／ｃｍ２程度となっている。
【０１４９】
＜第５実施形態＞
第１実施形態〜第３実施形態では、いずれも二次転写ローラ１４の表面の空隙を埋めるために、クリアートナーを使用した。
【０１５０】
第５実施形態では、記録材の種類を判別して記録材の裏面の地色に近いトナーを自動的に選択して、二次転写ローラ１４に転写する。
【０１５１】
制御手段（１１０）は、記録材を判別して、トナー像形成手段（１）で用いる複数色のトナーのうちで最も記録材に対するコントラストが低いトナーを選択する。
【０１５２】
例えば、裏面が黒い記録材の場合、ブラックトナーを用いて二次転写ローラに転写するトナー像を形成する。また、裏面が黄色い記録材の場合、イエロートナーを用いて二次転写ローラに転写するトナー像を形成する。さらに、裏面が青い記録材の場合、マゼンタトナー像とシアントナー像とを重ねて二次転写ローラに転写するトナー像を形成する。
【図面の簡単な説明】
【０１５３】
【図１】第１実施形態の画像形成装置の構成の説明図である。
【図２】多孔性の弾性層を有する二次転写ローラを用いた二次転写の説明図である。
【図３】二次転写ローラの回転面の空隙の拡大図である。
【図４】多孔性の円筒面における放電の説明図である。
【図５】画像形成の制御のフローチャートである。
【図６】薄い紙モードの説明図である。
【図７】通常の薄い紙モードのタイムチャートである。
【図８】濃度調整のタイムチャートである。
【図９】第２実施形態の画像形成装置の構成の説明図である。
【図１０】第３実施形態の画像形成装置の構成の説明図である。
【図１１】転写電圧の制御のタイムチャートである。
【図１２】中間転写ベルト上のクリアートナー像の説明図である。
【符号の説明】
【０１５４】
１  粉体付着手段（感光ドラム）
２  粉体付着手段（帯電装置）
３  粉体付着手段（露光装置）
４  ロータリ現像装置
４Ｙ  イエロー現像器
４Ｍ  マゼンタ現像器
４Ｃ  シアン現像器
４Ｋ  ブラック現像器
４Ｅ  粉体付着手段（クリアー現像器）
５  粉体付着手段（一次転写ローラ）
７  像担持体（中間転写ベルト）
１４  転写部材（二次転写ローラ）
１５  対向ローラ
１０８  操作パネル
１００  画像形成装置
１１０  制御手段（制御部）
Ｄ２  電源手段（電源）
Ｐ  記録材
Ｔ２  転写部（二次転写部）
【図１】
2009128391.tif 000003
【図２】
2009128391.tif 000004
【図３】
2009128391.tif 000005
【図４】
2009128391.tif 000006
【図５】
2009128391.tif 000007
【図６】
2009128391.tif 000008
【図７】
2009128391.tif 000009
【図８】
2009128391.tif 000010
【図９】
2009128391.tif 000011
【図１０】
2009128391.tif 000012
【図１１】
2009128391.tif 000013
【図１２】
2009128391.tif 000014